(57)【要約】      （修正有）【課題】新たなＵＥカテゴリが追加される場合に、ユーザ装置が適切に通信を行うことを可能にする。【解決手段】基地局とユーザ装置とを有する無線通信システムにおけるユーザ装置であって、ユーザ装置のＵＥカテゴリに対応する合計ソフトバッファサイズと、基地局により下りリンクに設定される変調方式と、基地局により下りリンクに設定されるＭＩＭＯレイヤ数と、に基づいて、ユーザ装置内に確保すべきソフトバッファのサイズを決定する決定部と、決定部で決定されたサイズのソフトバッファに、基地局から受信したデータを格納する受信部と、を有する。ＵＥカテゴリは、サポートすべき最大のＭＩＭＯレイヤ数として２レイヤ、４レイヤ及び８レイヤを含み、かつ、サポートすべき変調方式として６４ＱＡＭ及び２５６ＱＡＭを含む。【選択図】図５
2018019372.tif 000002
【特許請求の範囲】
【請求項１】
基地局とユーザ装置とを有する無線通信システムにおけるユーザ装置であって、
当該ユーザ装置のＵＥカテゴリに対応する合計ソフトバッファサイズと、前記基地局により下りリンクに設定される変調方式と、前記基地局により下りリンクに設定されるＭＩＭＯレイヤ数と、に基づいて、当該ユーザ装置内に確保すべきソフトバッファのサイズを決定する決定部と、
前記決定部で決定されたサイズのソフトバッファに、前記基地局から受信したデータを格納する受信部と、を有し、
前記ＵＥカテゴリは、サポートすべき最大のＭＩＭＯレイヤ数として２レイヤ、４レイヤ及び８レイヤを含み、かつ、サポートすべき前記変調方式として６４ＱＡＭ及び２５６ＱＡＭを含むＵＥカテゴリである、
ユーザ装置。
【請求項２】
前記決定部は、当該ユーザ装置のＵＥカテゴリがＵＥカテゴリ１９である場合、ＵＥカテゴリ１９に対応する前記合計ソフトバッファサイズに基づいてソフトバッファメモリのサイズを決定し、当該ユーザ装置のＵＥカテゴリがＵＥカテゴリ１８である場合、ＵＥカテゴリ１８に対応する前記合計ソフトバッファサイズに基づいてソフトバッファのサイズを決定する、
請求項１に記載のユーザ装置。
【請求項３】
前記決定部は、当該ユーザ装置のＵＥカテゴリがＵＥカテゴリ１９又はＵＥカテゴリ１８である場合、ＵＥカテゴリ１８に対応する前記合計ソフトバッファサイズに基づいてソフトバッファのサイズを算出する、
請求項１に記載のユーザ装置。
【請求項４】
基地局とユーザ装置とを有する無線通信システムにおける基地局であって、
前記ユーザ装置のＵＥカテゴリと、下りリンクに設定される変調方式と、下りリンクに設定される最大レイヤ数と、に基づいて決定される前記ユーザ装置のソフトバッファメモリのサイズに基づくレートマッチング処理を行う処理部と、
レートマッチング後の情報ビットを前記ユーザ装置に送信する送信部と、を有し、
前記ＵＥカテゴリは、サポートすべき最大のＭＩＭＯレイヤ数として２レイヤ、４レイヤ及び８レイヤを含み、かつ、サポートすべき前記変調方式として６４ＱＡＭ及び２５６ＱＡＭを含むＵＥカテゴリである、
基地局。
【請求項５】
基地局とユーザ装置とを有する無線通信システムにおけるユーザ装置が実行する無線通信方法であって、
当該ユーザ装置のＵＥカテゴリに対応する合計ソフトバッファサイズと、前記基地局により下りリンクに設定される変調方式と、前記基地局により下りリンクに設定されるＭＩＭＯレイヤ数と、に基づいて、当該ユーザ装置内に確保すべきソフトバッファのサイズを決定するステップと、
決定されたサイズのソフトバッファに、前記基地局から受信したデータを格納するステップと、を有し、
前記ＵＥカテゴリは、サポートすべき最大のＭＩＭＯレイヤ数として２レイヤ、４レイヤ及び８レイヤを含み、かつ、サポートすべき前記変調方式として６４ＱＡＭ及び２５６ＱＡＭを含むＵＥカテゴリである、
無線通信方法。
【請求項６】
基地局とユーザ装置とを有する無線通信システムにおける基地局が実行する無線通信方法であって、
前記ユーザ装置のＵＥカテゴリと、下りリンクに設定される変調方式と、下りリンクに設定される最大レイヤ数と、に基づいて決定される前記ユーザ装置のソフトバッファメモリのサイズに基づくレートマッチング処理を行うステップと、
レートマッチング後の情報ビットを前記ユーザ装置に送信するステップと、を有し、
前記ＵＥカテゴリは、サポートすべき最大のＭＩＭＯレイヤ数として２レイヤ、４レイヤ及び８レイヤを含み、かつ、サポートすべき前記変調方式として６４ＱＡＭ及び２５６ＱＡＭを含むＵＥカテゴリである、
無線通信方法。
【発明の詳細な説明】
【技術分野】
【０００１】
本発明は、ユーザ装置、基地局及び通信方法に関する。
【背景技術】
【０００２】
ＵＭＴＳ（Universal  Mobile  Telecommunications  System）ネットワークにおいて、さらなる高速データレート、低遅延などを目的としてロングタームエボリューション（ＬＴＥ：Long  Term  Evolution）が仕様化された。また、ＬＴＥからの更なる広帯域化及び高速化を目的として、ＬＴＥの後継システム（例えば、ＬＴＥ−Ａ（LTE-Advanced）、ＦＲＡ（Future  Radio  Access）、４Ｇ、５Ｇなどともいう）も検討されている。
【０００３】
ＬＴＥにおけるユーザ装置は、ＵＥ（User Equipment）能力に応じて複数のカテゴリに分類される。当該カテゴリは「ＵＥカテゴリ」と呼ばれ、例えば、３ＧＰＰ  リリース１０で規定されたカテゴリ６のユーザ装置は、ＤＬ（Downlink）の最大ビットレート（ピークレート）及びＵＬ（Downlink）最大ビットレートとしてそれぞれ３００Ｍｂｐｓ及び５１Ｍｂｐｓをサポートする。また、３ＧＰＰ  リリース１２以降から、ＵＥカテゴリは、ＤＬとＵＬに分けて規定されている。ＤＬのＵＥカテゴリは、「ＵＥ  ＤＬカテゴリ」と呼ばれ、ＵＬのＵＥカテゴリは、「ＵＥ  ＵＬカテゴリ」と呼ばれる（非特許文献１）。ユーザ装置ＵＥは、例えばネットワークにアクセスする際に、自身がサポートするＵＥカテゴリを所定のシグナリングメッセージ（ＵＥ−ＥＵＴＲＡ−Ｃａｐａｂｉｌｉｔｙ）で基地局に通知することが規定されている。
【０００４】
また、ＬＴＥでは、ソフトコンバイニングを伴うＨＡＲＱ（Hybrid ARQ, Hybrid Automatic Repeat Request）が適用されている。ＨＡＲＱ処理では、ユーザ装置は、誤りを含むデータを受信した場合、当該データをメモリに蓄積し、後に再送される再送データと合成する。なお、上記ＨＡＲＱ処理に用いるメモリは、ソフトバッファ（soft buffer）と呼ばれる。また、基地局も、ユーザ装置のソフトバッファのサイズに応じたデータ送信処理を行っている。具体的には、基地局は、ＤＬ（Downlink）のデータ送信を行う際に、ユーザ装置のソフトバッファのサイズに基づいてレートマッチング処理を行っている。
【先行技術文献】
【非特許文献】
【０００５】
【非特許文献１】３ＧＰＰ  ＴＳ３６．３０６  Ｖ１３．２．０（２０１６−０６）
【非特許文献２】３ＧＰＰ  ＴＳ３６．２１２  Ｖ１３．２．０（２０１６−０６）
【非特許文献３】３ＧＰＰ  ＴＳ３６．３３１  Ｖ１３．２．０（２０１６−０６）
【発明の概要】
【発明が解決しようとする課題】
【０００６】
現在、３ＧＰＰでは、ＤＬの最大ビットレートとして１．２Ｇｂｐｓ及び１．６Ｇｂｐｓをサポートする新たなＵＥカテゴリを規定することが提案されている。当該新たなＵＥカテゴリでは、ユーザ装置は８レイヤのＭＩＭＯまでをサポートし、変調方式として２５６ＱＡＭまでをサポートすることが望ましい。
【０００７】
ここで、前述のソフトバッファのサイズは、ＵＥカテゴリと、セル毎に設定されるＭＩＭＯレイヤ数と、セル毎に設定される変調方式とに従って決定されることが非特許文献２に規定されている。しかしながら、現在の３ＧＰＰの仕様では、１Ｇｂｐｓ（ＤＬカテゴリ１６）より大きく、３Ｇｂｐｓ（カテゴリ８）より小さい範囲で新しいＵＥカテゴリを規定する場合、８レイヤのＭＩＭＯに対応するソフトバッファのサイズの決定方法が規定されていない。つまり、現在の３ＧＰＰ仕様では、当該新たなＵＥカテゴリに対応するユーザ装置は、８レイヤのＭＩＭＯが適用された場合、ＨＡＲＱ処理を行う際に必要なサイズのソフトバッファを確保することができず、また、基地局は、適切にレートマッチング処理を行うことができないことから、基地局及びユーザ装置は適切に通信を行うことができない。
【０００８】
開示の技術は上記に鑑みてなされたものであって、新たなＵＥカテゴリが追加される場合に、ユーザ装置が適切に通信を行うことを可能にする技術を提供することを目的とする。
【課題を解決するための手段】
【０００９】
開示の技術のユーザ装置は、基地局とユーザ装置とを有する無線通信システムにおけるユーザ装置であって、当該ユーザ装置のＵＥカテゴリに対応する合計ソフトバッファサイズと、前記基地局により下りリンクに設定される変調方式と、前記基地局により下りリンクに設定されるＭＩＭＯレイヤ数と、に基づいて、当該ユーザ装置内に確保すべきソフトバッファのサイズを決定する決定部と、前記決定部で決定されたサイズのソフトバッファに、前記基地局から受信したデータを格納する受信部と、を有し、前記ＵＥカテゴリは、サポートすべき最大のＭＩＭＯレイヤ数として２レイヤ、４レイヤ及び８レイヤを含み、かつ、サポートすべき前記変調方式として６４ＱＡＭ及び２５６ＱＡＭを含むＵＥカテゴリである。
【発明の効果】
【００１０】
開示の技術によれば、新たなＵＥカテゴリが追加される場合に、ユーザ装置が適切に通信を行うことを可能にする技術が提供される。
【図面の簡単な説明】
【００１１】
【図１】従来のＬＴＥにおけるＵＥカテゴリの規定を示す図である。
【図２】「ＮＩＲ」の算出例を示す図である。
【図３】実施の形態に係る無線通信システムの構成例を示す図である。
【図４】ＤＬ通信におけるシーケンス図である。
【図５】実施の形態に係る新たなＵＥカテゴリの規定例を示す図である。
【図６】ＫＣを決定する際の仕様変更例（その１）を説明するための図である。
【図７】ＵＥ−ＥＵＴＲＡ−Ｃａｐａｂｉｌｉｔｙの仕様変更例（その１）を説明するための図である。
【図８】ＫＣを決定する際の仕様変更例（その２）を説明するための図である。
【図９】ＵＥ−ＥＵＴＲＡ−Ｃａｐａｂｉｌｉｔｙの仕様変更例（その２）を説明するための図である。
【図１０】実施の形態に係る基地局の機能構成例を示す図である。
【図１１】実施の形態に係るユーザ装置の機能構成例を示す図である。
【図１２】実施の形態に係る基地局及びユーザ装置のハードウェア構成例を示す図である。
【発明を実施するための形態】
【００１２】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態に係る無線通信システムはＬＴＥに準拠した方式のシステムを想定しているが、本発明はＬＴＥに限定されるわけではなく、他の方式にも適用可能である。なお、本明細書及び特許請求の範囲において、「ＬＴＥ」は、３ＧＰＰのリリース８、又は９に対応する通信方式のみならず、３ＧＰＰのリリース１０、１１、１２、１３、又はリリース１４以降に対応する第５世代の通信方式も含む広い意味で使用する。
【００１３】
＜ＤＬデータの送信処理及びソフトバッファの決定方法について＞
まず、ＬＴＥにおけるＤＬデータの送信処理及びソフトバッファサイズの決定方法について説明する。ＤＬデータを送信する際、基地局ｅＮＢは、トランスポートブロック（ＴＢ：Transport Block）に２４ビットのＣＲＣ（Cyclic Redundancy Check）を付加する。続いて、基地局ｅＮＢは、ＣＲＣを含むトランスポートブロックのサイズが６１４４ビットを超える場合に、ＣＲＣを含むトランスポートブロックを複数のコードブロックに分割し（Code block segmentation）、各コードブロックに２４にビットのＣＲＣを付加する（Code block CRC attachment）。続いて、基地局ｅＮＢは、ＣＲＣが付加されたコードブロック毎にチャネル符号化（Channel coding）を行う。チャネル符号化は、符号化率１／３のターボ符号化により行われ、ビット長ＫＷの符号化ビットが出力される。符号化ビットには、コードブロック毎の情報ビットであるシステマティックビット、第１パリティビット、及び第２パリティビットが含まれる。
【００１４】
続いて、基地局ｅＮＢは、システマティックビット、第１パリティビット、及び、第２パリティビットに対して個別にインタリーブ処理を行う。続いて、基地局ｅＮＢは、仮想円形バッファ（virtual circular buffer）に、システマティックビットを最初に格納し、その後、第１パリティビット、及び、第２パリティビットを交互に格納する（Bit collection）。仮想円形バッファのサイズは上述のＫＷと同一である。
【００１５】
続いて、基地局ｅＮＢは、コードブロック毎にレートマッチング処理を行う。具体的には、まず、基地局ｅＮＢは、コードブロック毎のソフトバッファサイズに基づいて、仮想円形バッファ内における再送バージョン（ＲＶ：Redundancy version）ごとの先頭位置（ｋ０）を決定する。次に、基地局ｅＮＢは、決定された先頭位置を基点として、１ＴＢで実際に送信可能なビット数に基づいて算出されるコードブロック毎の出力長（Ｅ）に該当するビットを仮想円形バッファから取り出す。
【００１６】
続いて、基地局ｅＮＢは、コードブロック毎のレートマッチング処理で出力された各々のビット列を連結し、スクランブリング、変調処理、及び、リソースブロックへのマッピング等を行い、ユーザ装置ＵＥに送信する。
【００１７】
続いて、ユーザ装置ＵＥは、ＨＡＲＱ処理を行うことで受信したデータを復号する。具体的には、受信したコードブロック毎のデータにエラーが含まれている場合に、コードブロック毎のソフトバッファに初回のデータと再送データとを格納して合成することで、受信したデータの復号を試みる。
【００１８】
ユーザ装置ＵＥが備えるべき合計ソフトバッファサイズ（Total number of soft channel bits）は、図１に示すようにＵＥカテゴリ毎に固定的に規定されている。図１は、非特許文献１の４．１章に規定されているＵＥカテゴリ毎のＤＬ物理レイヤパラメータセットのうち、一部のＵＥカテゴリを抜粋したものである。
【００１９】
ユーザ装置ＵＥは、セル毎にソフトバッファを確保する。つまり、合計ソフトバッファサイズのソフトバッファが、セル毎に以下の式２を用いて決定されるサイズに分割されることで、トランスポートブロック毎のソフトバッファがユーザ装置ＵＥ内に確保される。更に、トランスポートブロック毎のソフトバッファが以下の式１を用いて決定されるサイズに分割されることで、コードブロック毎のソフトバッファがユーザ装置ＵＥ内に確保される。
【００２０】
コードブロック毎のソフトバッファサイズ（Ｎｃｂ）は、以下の式１に基づいて決定される。
【００２１】
【数１】
2018019372.tif 000003
「ＮＩＲ」は、１つのセルにおけるトランスポートブロック毎のソフトバッファサイズ（ビット）であり、「Ｃ」はコードブロックの数であり、「ＫＷ」は、前述したように、ターボ符号化により生成された符号化ビットのビット長である。「ＮＩＲ」は、以下の式２に基づいて決定される。
【００２２】
【数２】
2018019372.tif 000004
「ＮＳＯＦＴ」は、上述した合計ソフトバッファサイズ（Total number of soft channel bits）である。「ＫＭＩＭＯ」は、１ＴＴＩで同時に送信され得る最大トランスポートブロック数を意図しており、ＰＤＳＣＨ（Physical Downlink Shared Channel）が送信モード（ＴＭ：Transmission mode）３、４、８、９、又は１０で送信される場合は「ＫＭＩＭＯ＝２」であり、その他の場合は「ＫＭＩＭＯ＝１」である。「ＭＤＬ＿ＨＡＲＱ」はＨＡＲＱプロセス数であり、具体的にはＴＳ３６．２１３の７章に規定されている。ＦＤＤの場合は基本的に「ＭＤＬ＿ＨＡＲＱ＝８」である。
【００２３】
「ＫＣ」の値は、非特許文献２の５．１．４．１．２章に規定されており、「ＮＳＯＦＴ」の値、最大ＭＩＭＯレイヤ数、及び、変調多値数が最も大きい変調方式に基づいて、以下の手順に従って決定される。なお、以下の説明で、変調多値数が最も大きい変調方式を、便宜上「最大の変調方式」、「最大変調方式」などと呼ぶ。
【００２４】
（「ＫＣ」の値の決定方法）
（１）ユーザ装置ＵＥがＵＥ能力（UE Capability）として、ＵＥカテゴリ０を示す「ue-CategoryDL-r12」を通知する場合、又は、ＵＥカテゴリ１４を示す「ue-CategoryDL-r12」を通知し、かつ、ＤＬセルの無線設定として「altCQI-Table-r12」が設定される場合、「ＮＳＯＦＴ」の値は、「ue-CategoryDL-r12」で通知されるＵＥカテゴリに対応する合計ソフトバッファサイズとする。該当しない場合は（２）に進み、該当する場合は（Ａ）に進む。ここで、ＤＬセルの無線設定として「altCQI-Table-r12」が設定される場合とは、ＤＬセルで最大２５６ＱＡＭの通信が行われる場合と同義である（以下の説明でも同様）。
（２）ユーザ装置ＵＥが「ue-Category-v11a0」を通知し、かつ、ＤＬセルの無線設定として「altCQI-Table-r12」が設定される場合、「ＮＳＯＦＴ」の値は、「ue-Category-v11a0」で通知されるＵＥカテゴリに対応する合計ソフトバッファサイズとする。該当しない場合は（３）に進み、該当する場合は（Ａ）に進む。非特許文献３によれば「ue-Category-v11a0」には、ＵＥカテゴリ１１又は１２を設定可能である。
（３）ユーザ装置ＵＥが「ue-Category-v1020」を通知し、かつ、送信モード９又は１０が設定される場合、又は、ユーザ装置ＵＥが「ue-Category-v1020」を通知し、送信モード３又は４が設定され、かつ、ＤＬセルの無線設定として「maxLayersMIMO-r10」に４レイヤが設定される場合、「ＮＳＯＦＴ」の値は、「ue-Category-v1020」で通知されるＵＥカテゴリに対応する合計ソフトバッファサイズとする。該当しない場合は（４）に進み、該当する場合は（Ａ）に進む。非特許文献３によれば「ue-Category-v1020」には、ＵＥカテゴリ６〜８を設定可能である。
（４）上記いずれにも該当しない場合、「ＮＳＯＦＴ」の値は、「ue-Category」で通知されるＵＥカテゴリに対応する合計ソフトバッファサイズとする。続いて（Ａ）に進む。非特許文献３によれば「ue-Category」には、ＵＥカテゴリ１〜５を設定可能である。
（Ａ）「ＮＳＯＦＴ」の値が35982720又は47431680の場合、「ＫＣ」＝５とする。該当しない場合は（Ｂ）に進む。
（Ｂ）「ＮＳＯＦＴ」の値が7308288であり、かつ、ＤＬセルの無線設定として「altCQI-Table-r12」が設定される場合、「ＫＣ」＝３又は３／２とする。より詳細には、ユーザ装置ＵＥが、ユーザ装置ＵＥに設定される送信モードにおいて、ＤＬセルで最大レイヤ２をサポートする場合、若しくは、ＤＬセルの無線設定として「maxLayersMIMO-r10」に２レイヤが設定される場合は「ＫＣ」＝３とし、それ以外の場合は「ＫＣ」＝３／２とする。該当しない場合は（Ｃ）に進む。
（Ｃ）「ＮＳＯＦＴ」の値が3654144であり、ユーザ装置ＵＥが、ＤＬセルで最大レイヤ２をサポートする場合、若しくは、ＤＬセルの無線設定として「maxLayersMIMO-r10」に２レイヤが設定される場合は「ＫＣ」＝２とする。該当しない場合は（Ｃ）に進む。
（Ｄ）上記（Ａ）〜（Ｃ）を満たさない場合、「ＫＣ」＝１とする。
【００２５】
上記の（１）〜（４）は、ユーザ装置ＵＥが対応するＵＥカテゴリに対応する合計ソフトバッファサイズがそのまま「ＮＳＯＦＴ」の値として用いられるのではないことを示している。ここで、非特許文献３の４．１章及びＴａｂｌｅ４．１Ａ−６によれば、ユーザ装置ＵＥは、後方互換性確保のため、自身が対応しているＵＥカテゴリに加えて下位のＵＥカテゴリも通知すべきことが規定されている。一例として、ＵＥカテゴリ６又は７に対応しているユーザ装置ＵＥは、ＵＥカテゴリ６又は７に加えてＵＥカテゴリ４も通知すべきことが規定されている。また、一例として、ＵＥ  ＤＬカテゴリ１６及びＵＥ  ＵＬカテゴリ１３の組み合わせに対応しているユーザ装置ＵＥは、ＵＥ  ＤＬカテゴリ１６及びＵＥ  ＵＬカテゴリ１３の組み合わせに加えて、ＵＥカテゴリ１２、１０、７、４、並びに、ＵＥ  ＤＬカテゴリ１２及びＵＥ  ＵＬカテゴリ１３の組み合わせも通知すべきことが規定されている。すなわち、上記の（１）〜（４）は、ユーザ装置ＵＥが対応するＵＥカテゴリ及びその下位のＵＥカテゴリのうち、少なくともいずれか１つのＵＥカテゴリに該当するように規定されている。
【００２６】
ここで、簡略化のために、「ＫＭＩＭＯ＝１」及び「ＭＤＬ＿ＨＡＲＱ＝１」と仮定した場合に、ＵＥカテゴリ４以上のＵＥカテゴリについて上記の（１）〜（４）及び（Ａ）〜（Ｄ）に従って「ＮＩＲ」を算出すると、ＵＥカテゴリ８、ＵＥ  ＤＬカテゴリ１４及び１７の場合を除き、図２に示す値のうちいずれかの値に収束する。例えば図２において「ＮＩＲ=1827072」は、ＤＬセルで最大２レイヤＭＩＭＯ（つまり、１レイヤ又は２レイヤのいずれか）及び最大６４ＱＡＭ（つまり、ＱＰＳＫ、１６ＱＡＭ、６４ＱＡＭのいずれか）を用いた通信が行われる場合に適用される「ＮＩＲ」の値を意味する。
【００２７】
なお、ＵＥカテゴリ８は、６４ＱＡＭ及び８レイヤＭＩＭＯのサポートを必須とすることで、ＤＬの最大ビットレートとして３Ｇｂｐｓを実現する特殊なＵＥカテゴリである。同様に、ＵＥ  ＤＬカテゴリ１４及び１７は、２５６ＱＡＭ及び８レイヤＭＩＭＯのサポートを必須とすることで、ＤＬの最大ビットレートとして、それぞれ４Ｇｂｐｓ及び２５Ｇｂｐｓを実現する特殊なＵＥカテゴリである。
【００２８】
以上、ＬＴＥにおけるＤＬデータの送信処理及びソフトバッファサイズの決定方法について説明したが、図２に示すように、現在のＬＴＥでは、ＵＥカテゴリ８、１４及び１７を除き、ＤＬセルで最大８レイヤ及び最大６４ＱＡＭを用いた通信、並びに、最大８レイヤ及び最大２５６ＱＡＭを用いた通信が行われる場合に適用される「ＮＩＲ」の値を決定する方法が存在しない。つまり、現在のＬＴＥの規定では、ＤＬの最大ビットレートが１Ｇｂｐｓ（ＤＬ  ＵＥカテゴリ１６）より大きく、３Ｇｂｐｓ（ＵＥカテゴリ８）より小さい範囲で規定される新たなＵＥカテゴリに対して、特に、ＤＬセルで最大８レイヤ及び最大６４ＱＡＭを用いた通信、並びに、最大８レイヤ及び最大２５６ＱＡＭを用いた通信が行われる場合に適用される「ＮＩＲ」の値を決定する方法が規定されていない。
【００２９】
なお、新たなＵＥカテゴリに対する「ＮＩＲ」の決定方法として、ＵＥカテゴリ８、ＵＥ  ＤＬカテゴリ１４及び１７に対応する「ＮＩＲ」の決定方法を流用することも考えられる。具体的には、新たなＵＥカテゴリをサポートするユーザ装置ＵＥは、下位のＵＥカテゴリとして、ＵＥカテゴリ８、ＵＥ  ＤＬカテゴリ１４及び１７を通知することが考えられる。しかしながら、これらのＵＥカテゴリは、ＤＬの最大ビットレートとして３Ｇｂｐｓ以上を実現するカテゴリであり、ＤＬの最大ビットレートとして１．２Ｇｂｐｓ及び１．６Ｇｂｐｓをサポートする新たなＵＥカテゴリの下位のカテゴリとは言えない。従って、これらのＵＥカテゴリに対応する「ＮＩＲ」の決定方法を、新たなＵＥカテゴリのユーザ装置ＵＥに適用することは適切ではない。
【００３０】
そこで、本実施の形態では、ＤＬの最大ビットレートとして１．２Ｇｂｐｓ及び１．６Ｇｂｐｓをサポートする新たなＵＥカテゴリに対して、特に、ＤＬセルで最大８レイヤ及び最大６４ＱＡＭを用いた通信、並びに、最大８レイヤ及び最大２５６ＱＡＭを用いた通信が行われる場合に適用される「ＮＩＲ」の値を決定する方法を新たに規定することで、新たなＵＥカテゴリのユーザ装置ＵＥが適切に通信を行うことを可能にする。
【００３１】
＜システム構成＞
図３は、実施の形態に係る無線通信システムの構成例を示す図である。図３に示すように、実施の形態に係る無線通信システムは、基地局ｅＮＢとユーザ装置ＵＥとを有する。ユーザ装置ＵＥ及び基地局ｅＮＢは、ＣＡ（Carrier Aggregation、キャリアアグリゲーション）を行うことが可能である。また、ＣＡにはＤＣ（Dual Connectivity）を含む。図３には、ユーザ装置ＵＥ、及び基地局ｅＮＢが１つずつ示されているが、これは例であり、それぞれ複数であってもよい。
【００３２】
ユーザ装置ＵＥは、上述の新たなＵＥカテゴリをサポートするユーザ装置ＵＥである。なお、当該新たなＵＥカテゴリのうち、ＤＬの最大ビットレートが１．２ＧｂｐｓであるＵＥ  ＤＬカテゴリはＵＥ  ＤＬカテゴリ１８と呼ばれてもよい。また、なお、ＤＬの最大ビットレートが１．６ＧｂｐｓであるＵＥ  ＤＬカテゴリはＵＥ  ＤＬカテゴリ１９と呼ばれてもよい。以下の説明では、便宜上、ＵＥ  ＤＬカテゴリ１８及びＵＥ  ＤＬカテゴリ１９の名称を用いて説明するが、これに限定されるものではない。
【００３３】
＜処理手順＞
図４を用いて、実施の形態に係る無線通信システムが行う処理手順を説明する。まず、ユーザ装置ＵＥは、基地局ｅＮＢからＵＥ能力問い合わせ（UECapabilityEnquiry）を受信した場合、ＵＥ能力通知（UECapabilityInformation）を基地局ｅＮＢに通知する（Ｓ１１）。ＵＥ能力通知（UECapabilityInformation）には、ユーザ装置ＵＥがサポートするＵＥ  ＤＬカテゴリ（ＵＥ  ＤＬカテゴリ１８又は１９）が含まれる。
【００３４】
続いて、基地局ｅＮＢは、ユーザ装置ＵＥのコードブロック毎のソフトバッファのサイズ（Ｎｃｂ）を算出し、算出したサイズに基づいてレートマッチングを行いながらＤＬのデータ送信を行う（Ｓ１２）。ソフトバッファのサイズ（Ｎｃｂ）を算出する際において、基地局ｅＮＢは、ユーザ装置ＵＥからＵＥ  ＤＬカテゴリ１８又は１９が通知され、かつ、ＤＬセルにおいて最大８レイヤの通信が行われる場合、「ＮＳＯＦＴ」の値は、ＵＥ  ＤＬカテゴリ１８又は１９に対応する合計ソフトバッファサイズとする。また、基地局ｅＮＢは、ＵＥ  ＤＬカテゴリ１８又は１９に対応する合計ソフトバッファサイズに基づいて「ＫＣ」の値を決定し、前述の式１及び式２を用いて、ソフトバッファのサイズ（ＮＩＲ、Ｎｃｂ）を算出する。「ＫＣ」の値の決定方法については後述する。
【００３５】
続いて、ユーザ装置ＵＥは、基地局ｅＮＢから通知されるＲＲＣメッセージ（RRCConnectionSetup、RRCConnectionReconfiguration等）により、ＤＬセルにおける通信パラメータ（最大のＭＩＭＯレイヤ数、及び、最大の変調方式）を認識し、自身がサポートするＵＥ  ＤＬカテゴリ１８又は１９に対応する「ＮＳＯＦＴ」の値と、前述の式１及び式２を用いて、ソフトバッファのサイズ（ＮＩＲ、Ｎｃｂ）を算出する。つまり、ユーザ装置ＵＥは、基地局ｅＮＢと同一の決定方法を用いて「ＫＣ」の値を決定し、ソフトバッファのサイズ（ＮＩＲ、Ｎｃｂ）を算出する。続いて、ユーザ装置ＵＥは、算出されたサイズのソフトバッファをメモリ内に設定し、ＨＡＲＱ処理を行うことで受信したデータを復号する。具体的には、受信したコードブロック毎のデータにエラーが含まれている場合に、コードブロック毎のソフトバッファに格納された初回のデータと再送データと合成することで、受信したデータの復号を試みる。
【００３６】
（本実施の形態に係る「ＫＣ」の値の決定方法）
続いて、本実施の形態における「ＫＣ」の値の決定方法についてより具体的に説明する。本実施の形態では、ＵＥ  ＤＬカテゴリ１８及び１９を通知するためのＲＲＣレイヤの情報要素（ＩＥ：Information element）を新たに規定する。また、本実施の形態では、ＵＥ  ＤＬカテゴリ１８及び１９のＤＬ物理レイヤパラメータとして、図５に示すパラメータを規定する。ＵＥ  ＤＬカテゴリ１８に対応する合計ソフトバッファサイズは14616576であるが、この値は、ＤＬの最大ビットレートが１５０ＭｂｐｓであるＵＥカテゴリ４に対応する合計ソフトバッファサイズ（1827072）の８倍（１．２Ｇｂｐｓ／１５０Ｍｂｐｓ＝８）に相当する。また、ＵＥ  ＤＬカテゴリ１９に対応する合計ソフトバッファサイズは19488768であるが、この値は、ＤＬの最大ビットレートが６００ＭｂｐｓであるＵＥカテゴリ１１に対応する合計ソフトバッファサイズ（7308288）の８／３倍（１．６Ｇｂｐｓ／６００Ｍｂｐｓ＝８／３）に相当する。
【００３７】
また図５に示すように、ＵＥ  ＤＬカテゴリ１８及び１９のユーザ装置ＵＥは、最大のＭＩＭＯレイヤ数として、２レイヤ、４レイヤ又は８レイヤのいずれかをサポートし、変調方式として、最大６４ＱＡＭ（つまり、ＱＰＳＫ、１６ＱＡＭ及び６４ＱＡＭ）又は最大２５６ＱＡＭ（つまり、ＱＰＳＫ、１６ＱＡＭ、６４ＱＡＭ及び２５６ＱＡＭ）のいずれかをサポートする。言い換えると、ＵＥ  ＤＬカテゴリ１８及び１９は、サポートすべき最大のＭＩＭＯレイヤ数として２レイヤ、４レイヤ及び８レイヤを含み、かつ、サポートすべき変調方式として６４ＱＡＭ及び２５６ＱＡＭを含むＵＥカテゴリであると定義できる。
【００３８】
ここで、本実施の形態では、「ＫＣ」の値の決定方法として、以下の２通りのうちいずれか一方を用いる。
【００３９】
［「ＫＣ」の値の決定方法（その１）］
「ＫＣ」の値の決定方法（その１）では、ＵＥ  ＤＬカテゴリ１９に対応するユーザ装置ＵＥはＵＥ  ＤＬカテゴリ１９を通知し、ＵＥ  ＤＬカテゴリ１８に対応するユーザ装置ＵＥはＵＥ  ＤＬカテゴリ１８を通知する。
【００４０】
「ＫＣ」の値の決定方法（その１）では、前述した（「ＫＣ」の値の決定方法）で説明した手順（１）〜（４）のうち、（１）及び（２）の間に、以下の追加手順（１ａ）を追加し、手順（１）に該当しない場合は（１ａ）に進むようにする。また、手順（Ａ）〜（Ｄ）のうち、（Ａ）及び（Ｂ）の間に、以下の手順（Ａ１）及び（Ａ２）を追加し、手順（Ａ）に該当しない場合は（Ａ１）に進むようにする。
【００４１】
（１ａ）ユーザ装置ＵＥがＵＥ  ＤＬカテゴリ１８及び１９を通知し、かつ、ユーザ装置ＵＥに送信モード９又は１０が設定されるＤＬセルにおいてユーザ装置ＵＥが最大８レイヤのＭＩＭＯをサポートする場合、又は、ユーザ装置ＵＥがＵＥ  ＤＬカテゴリ１８及び１９を通知し、かつ、ＤＬセルの無線設定として「maxLayersMIMO-r10」に８レイヤが設定される場合、「ＮＳＯＦＴ」の値は、ユーザ装置ＵＥから通知されるＵＥカテゴリに対応する合計ソフトバッファサイズとする。該当しない場合は（２）に進み、該当する場合は（Ａ）に進む。なお、送信モード９又は１０は、最大８レイヤのＭＩＭＯを使用可能な送信モードである。
【００４２】
（Ａ１）「ＮＳＯＦＴ」の値が14616576であり（つまり、ＵＥ  ＤＬカテゴリ１８である場合）、かつ、ＤＬセルの無線設定として「altCQI-Table-r12」が設定される場合（つまり、ＤＬセルで最大２５６ＱＡＭの通信が行われる場合）、「ＫＣ」＝３／２とする。「ＮＳＯＦＴ」の値が14616576であるが、ＤＬセルの無線設定として「altCQI-Table-r12」が設定されない場合（つまり、ＤＬセルで最大６４ＱＡＭまでの通信が行われる場合）、「ＫＣ」＝２とする。該当しない場合は（Ａ２）に進む。
【００４３】
（Ａ２）「ＮＳＯＦＴ」の値が19488768であり（つまり、ＵＥ  ＤＬカテゴリ１９である場合）、かつ、ＤＬセルの無線設定として「altCQI-Table-r12」が設定される場合（つまり、ＤＬセルで最大２５６ＱＡＭの通信が行われる場合）、「ＫＣ」＝２とする。「ＮＳＯＦＴ」の値が19488768であるが、ＤＬセルの無線設定として「altCQI-Table-r12」が設定されない場合（つまり、ＤＬセルで最大６４ＱＡＭまでの通信が行われる場合）、「ＫＣ」＝８／３とする。該当しない場合は（Ｂ）に進む。
【００４４】
以上説明した「ＫＣ」の値の決定方法（その１）に対応する仕様変更例を図６に示す。図６のうち下線部（Otherwise, if the UE signals ue-CategoryDL-v1330・・・the UE category indicated by ue-CategoryDL-v1330.）は、上記（１ａ）に該当する。また、図のうち下線部（elseif Nsoft = 14616576,・・KC  = 2・・enf if.）は上記（Ａ１）に該当し、下線部（elseif Nsoft = 19488768,・・KC  = 8/3・・enf if.）は上記（Ａ２）に該当する。また、「ＫＣ」の値の決定方法（その１）に対応するＵＥ能力通知「UE-EUTRA-Capability-v1330」の仕様変更例を図７に示す。「ue-CategoryDL-v1330」には、ＵＥ  ＤＬカテゴリ１８又は１９のいずれか一方が設定される。
【００４５】
［「ＫＣ」の値の決定方法（その２）］
「ＫＣ」の値の決定方法（その２）では、「ＫＣ」の値の決定方法（その１）と異なり、ＵＥ  ＤＬカテゴリ１９に対応するユーザ装置ＵＥは、下位のＵＥカテゴリとしてＵＥ  ＤＬカテゴリ１８も通知する。
【００４６】
「ＫＣ」の値の決定方法（その２）では、前述した（「ＫＣ」の値の決定方法）で説明した手順（１）〜（４）のうち、（１）及び（２）の間に、以下の追加手順（１ａ）を追加し、手順（１）に該当しない場合は（１ａ）に進むようにする。また、手順（Ａ）〜（Ｄ）のうち、（Ａ）及び（Ｂ）の間に、以下の手順（Ａ１）を追加し、手順（Ａ）に該当しない場合は（Ａ１）に進むようにする。
【００４７】
（１ａ）ユーザ装置ＵＥがＵＥ  ＤＬカテゴリ１８を通知し、かつ、ユーザ装置ＵＥに送信モード９又は１０が設定されるＤＬセルにおいてユーザ装置ＵＥが最大８レイヤのＭＩＭＯをサポートする場合、又は、ユーザ装置ＵＥがＵＥ  ＤＬカテゴリ１８を通知し、かつ、ＤＬセルの無線設定として「maxLayersMIMO-r10」に８レイヤが設定される場合、「ＮＳＯＦＴ」の値は、ＵＥ  ＤＬカテゴリ１８に対応する合計ソフトバッファサイズとする。該当しない場合は（２）に進み、該当する場合は（Ａ）に進む。
【００４８】
（Ａ１）「ＮＳＯＦＴ」の値が14616576であり、かつ、ＤＬセルの無線設定として「altCQI-Table-r12」が設定される場合（つまり、ＤＬセルで最大２５６ＱＡＭの通信が行われる場合）、「ＫＣ」＝３／２とする。「ＮＳＯＦＴ」の値が14616576であるが、ＤＬセルの無線設定として「altCQI-Table-r12」が設定されない場合（つまり、ＤＬセルで最大６４ＱＡＭまでの通信が行われる場合）、「ＫＣ」＝２とする。該当しない場合は（Ｂ）に進む。
【００４９】
以上説明した「ＫＣ」の値の決定方法（その２）に対応する仕様変更例を図８に示す。図８のうち下線部（Otherwise, if the UE signals dl-Category18-r13・・・the UE category indicated by dl-Category18-r13.）は、上記（１ａ）に該当する。また、図のうち下線部（elseif Nsoft = 14616576,・・KC  = 2・・enf if.）は上記（Ａ１）に該当する。また、「ＫＣ」の値の決定方法（その２）に対応するＵＥ能力通知「UE-EUTRA-Capability-v1330」の仕様変更例を図９に示す。「dl-Category18-r13」は、ＵＥ  ＤＬカテゴリ１８を示し、「dl-Category19-r13」は、ＵＥ  ＤＬカテゴリ１９を示す。
【００５０】
以上、「ＫＣ」の値の決定方法（その２）では、「ＫＣ」の値の決定方法（その１）の手順（Ａ２）を省略することができるため、「ＫＣ」の値の決定方法（その１）と比較して、「ＫＣ」の値の計算方法が簡略化される。
【００５１】
［決定方法（その１）及び（その１）に関する補足事項］
ＵＥ  ＤＬカテゴリ１８又は１９をサポートするユーザ装置ＵＥは、下位のＵＥカテゴリとして、ＵＥカテゴリ６（若しくは７）、９（若しくは１０）、及び／又は１１（若しくは１２）も含めるようにしてもよい。これにより、ＵＥ  ＤＬカテゴリ１８又は１９をサポートするユーザ装置ＵＥが最大８レイヤのＤＬ通信を行わない場合、基地局ｅＮＢ及びユーザ装置ＵＥは、前述した（「ＫＣ」の値の決定方法）で説明した手順（１）〜（４）及び（Ａ）〜（Ｄ）を用いて「ＫＣ」の値を決定することができる。
【００５２】
以上、実施の形態に係る無線通信システムが行う処理手順について説明した。３ＧＰＰの仕様で対応可能な最大ビットレートを想定したＵＥカテゴリ８及びＵＥ  ＤＬカテゴリ１４、１７を除き、現在市場で普及しているＵＥカテゴリ（ＤＬカテゴリ１６まで）では、２レイヤ若しくは４レイヤのＭＩＭＯまでしかサポートしていなかった。一方、本実施の形態に係る無線通信システムを用いることで、新たなＵＥカテゴリにおいて１．２Ｇｂｐｓ及び１．６Ｇｂｐｓといった最大ビットレートを実現する場合に８レイヤのＭＩＭＯを用いることが可能になる。８レイヤのＭＩＭＯと６４ＱＡＭの変調方式を用いることで、本無線通信システムは、１キャリアで最大ビットレート６００Ｍｂｐｓを達成することができる。つまり、キャリアアグリゲーションで２キャリアを束ねることで１２００Ｍｂｐｓを達成することができる。同様に、８レイヤのＭＩＭＯと２５６ＱＡＭの変調方式を用いることで、本無線通信システムは、１キャリアで最大ビットレート８００Ｍｂｐｓを達成することができる。つまり、キャリアアグリゲーションで２キャリアを束ねることで１６００Ｍｂｐｓを達成できる。従来のＬＴＥにおけるＵＥカテゴリでは２レイヤ若しくは４レイヤのＭＩＭＯしかサポートしていないため、同じ最大ビットレートを実現する場合、１キャリアでの最大ビットレートが低いために更に多くのキャリアを束ねる必要があった。
【００５３】
本実施の形態が適用されることで、１．２Ｇｂｐｓ及び１．６Ｇｂｐｓといった最大ビットレートを実現可能な新たなＵＥカテゴリのユーザ装置ＵＥに８レイヤのＭＩＭＯを適用する場合に、基地局ｅＮＢは適切にレートマッチング処理を行うことが可能になると共にユーザ装置ＵＥも適切に通信を行うことが可能になる。また、本実施の形態に係る無線通信システムを利用する通信事業者は、少ない周波数割り当てで（少ないキャリア数で）同じ最大ビットレートを達成することが可能になる。
【００５４】
＜機能構成＞
図１０は、実施の形態に係る基地局の機能構成例を示す図である。図１０に示すように、基地局ｅＮＢは、信号送信部１０１、信号受信部１０２、ＵＥ能力取得部１０３、及びレートマッチング処理部を含む。図１０は、基地局ｅＮＢにおける主要な機能部のみを示すものであり、少なくともＬＴＥに準拠した動作を行うための図示しない機能も有するものである。また、図１０に示す機能構成は一例に過ぎない。本実施の形態に係る動作を実行できるのであれば、機能区分及び機能部の名称はどのようなものでもよい。
【００５５】
信号送信部１０１は、基地局ｅＮＢから送信されるべき上位のレイヤの信号から、物理レイヤの各種信号を生成し、無線送信する機能を含む。信号受信部１０２は、各ユーザ装置ＵＥから各種の信号を無線受信し、受信した物理レイヤの信号からより上位のレイヤの信号を取得する機能を含む。また、信号送信部１０１は、レートマッチング処理部１０４によりレートマッチングされた後の情報ビットをユーザ装置ＵＥに送信する機能を含む。また、信号送信部１０１及び信号受信部１０２はそれぞれ、複数のＣＣ（Component Carrier）を束ねて通信を行うＣＡを実行する機能を含んでいてもよい。
【００５６】
ＵＥ能力取得部１０３は、ユーザ装置ＵＥから通知されたＵＥ能力（UE-EUTRA-Capability）からユーザ装置ＵＥのＵＥカテゴリを取得し、メモリ等に記憶する機能を含む。
【００５７】
レートマッチング処理部１０４は、ユーザ装置ＵＥのＵＥカテゴリと、下りリンクに設定される変調方式（最も変調多値数が大きい変調方式）と、下りリンクに設定されるＭＩＭＯレイヤ数（最大ＭＩＭＯレイヤ数）と、に基づいて決定されるユーザ装置ＵＥのソフトバッファのサイズに基づきレートマッチング処理を行う機能を含む。なお、レートマッチング処理部１０４は、信号送信部１０１に含まれていてもよい。
【００５８】
（ユーザ装置）
図１１は、実施の形態に係るユーザ装置の機能構成例を示す図である。図１１に示すように、ユーザ装置ＵＥは、信号送信部２０１、信号受信部２０２、ＵＥ能力通知部２０３、及びバッファサイズ決定部２０４を含む。図１１は、ユーザ装置ＵＥにおいて本発明の実施の形態に特に関連する機能部のみを示すものであり、少なくともＬＴＥに準拠した動作を行うための図示しない機能も有するものである。また、図１１に示す機能構成は一例に過ぎない。本実施の形態に係る動作を実行できるのであれば、機能区分及び機能部の名称はどのようなものでもよい。
【００５９】
信号送信部２０１は、ユーザ装置ＵＥから送信されるべき上位のレイヤの信号から、物理レイヤの各種信号を生成し、無線送信する機能を含む。信号受信部２０２は、基地局ｅＮＢから各種の信号を無線受信し、受信した物理レイヤの信号からより上位のレイヤの信号を取得する機能を含む。信号送信部２０１及び信号受信部２０２はそれぞれ、複数のＣＣを束ねて通信を行うＣＡを実行する機能を含んでいてもよい。また、信号受信部２０２は、バッファサイズ決定部２０４で決定されたサイズのソフトバッファに、基地局ｅＮＢから受信したデータを格納し、ソフトコンバイニングを伴うＨＡＲＱ処理を行う機能を含む。
【００６０】
ＵＥ能力通知部２０３は、基地局ｅＮＢに、自身のＵＥカテゴリを含むＵＥ能力（UE-EUTRA-Capability）を通知する機能を含む。
【００６１】
バッファサイズ決定部２０４は、ユーザ装置ＵＥのＵＥカテゴリに対応する合計ソフトバッファサイズ（「ＮＳＯＦＴ」）と、基地局ｅＮＢにより下りリンクに設定される変調方式（最も変調多値数が大きい変調方式）と、基地局ｅＮＢにより下りリンクに設定される最大ＭＩＭＯレイヤ数（最大ＭＩＭＯレイヤ数）と、に基づいて、ユーザ装置ＵＥ内に確保すべきソフトバッファのサイズを決定する機能を含む。
【００６２】
なお、バッファサイズ決定部２０４は、ユーザ装置ＵＥのＵＥカテゴリがＵＥカテゴリ１９である場合、ＵＥカテゴリ１９に対応する合計ソフトバッファサイズに基づいて、ユーザ装置ＵＥ内に確保すべきソフトバッファメモリのサイズを決定し、当該ユーザ装置のＵＥカテゴリがＵＥカテゴリ１８である場合、ＵＥカテゴリ１８に対応する合計ソフトバッファサイズに基づいて、ユーザ装置ＵＥ内に確保すべきソフトバッファのサイズを決定するようにしてもよい。
【００６３】
また、バッファサイズ決定部２０４は、ユーザ装置ＵＥのＵＥカテゴリがＵＥカテゴリ１９又はＵＥカテゴリ１８である場合、ＵＥカテゴリ１８に対応する合計ソフトバッファサイズに基づいてユーザ装置ＵＥ内に確保すべきソフトバッファのサイズを算出するようにしてもよい。
【００６４】
＜ハードウェア構成＞
上記実施の形態の説明に用いたブロック図（図１０及び図１１）は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【００６５】
例えば、実施の形態における基地局ｅＮＢ、ユーザ装置ＵＥは、本発明の無線通信方法の処理を行うコンピュータとして機能してもよい。図１２は、実施の形態に係る基地局及びユーザ装置のハードウェア構成の一例を示す図である。上述の基地局ｅＮＢ及びユーザ装置ＵＥは、物理的には、プロセッサ１００１、メモリ１００２、ストレージ１００３、通信装置１００４、入力装置１００５、出力装置１００６、バス１００７などを含むコンピュータ装置として構成されてもよい。
【００６６】
なお、以下の説明では、「装置」という文言は、回路、デバイス、ユニットなどに読み替えることができる。基地局ｅＮＢ及びユーザ装置ＵＥのハードウェア構成は、図に示した各装置を１つ又は複数含むように構成されてもよいし、一部の装置を含まずに構成されてもよい。
【００６７】
基地局ｅＮＢ及びユーザ装置ＵＥにおける各機能は、プロセッサ１００１、メモリ１００２などのハードウェア上に所定のソフトウェア（プログラム）を読み込ませることで、プロセッサ１００１が演算を行い、通信装置１００４による通信、メモリ１００２及びストレージ１００３におけるデータの読み出し及び／又は書き込みを制御することで実現される。
【００６８】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、基地局ｅＮＢの信号送信部１０１、信号受信部１０２、ＵＥ能力取得部１０３、及びレートマッチング処理部、ユーザ装置ＵＥの信号送信部２０１、信号受信部２０２、ＵＥ能力通知部２０３、及びバッファサイズ決定部２０４は、プロセッサ１００１で実現されてもよい。
【００６９】
また、プロセッサ１００１は、プログラム（プログラムコード）、ソフトウェアモジュール又はデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、基地局ｅＮＢの信号送信部１０１、信号受信部１０２、ＵＥ能力取得部１０３、及びレートマッチング処理部、ユーザ装置ＵＥの信号送信部２０１、信号受信部２０２、ＵＥ能力通知部２０３、及びバッファサイズ決定部２０４は、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００７０】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically Erasable Programmable ＲＯＭ）、ＲＡＭ（Random  Access  Memory）などの少なくとも１つで構成されてもよい。メモリ１００２は、レジスタ、キャッシュ、メインメモリ（主記憶装置）などと呼ばれてもよい。メモリ１００２は、本発明の一実施の形態に係る無線通信方法を実施するために実行可能なプログラム（プログラムコード）、ソフトウェアモジュールなどを保存することができる。
【００７１】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【００７２】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、基地局ｅＮＢの信号送信部１０１、信号受信部１０２、ユーザ装置ＵＥの信号送信部２０１、及び、信号受信部２０２は通信装置１００４で実現されてもよい。
【００７３】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【００７４】
また、プロセッサ１００１及びメモリ１００２などの各装置は、情報を通信するためのバス１００７で接続される。バス１００７は、単一のバスで構成されてもよいし、装置間で異なるバスで構成されてもよい。
【００７５】
また、基地局ｅＮＢ及びユーザ装置ＵＥは、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００７６】
＜まとめ＞
以上、実施の形態によれば、基地局とユーザ装置とを有する無線通信システムにおけるユーザ装置であって、当該ユーザ装置のＵＥカテゴリに対応する合計ソフトバッファサイズと、前記基地局により下りリンクに設定される変調方式と、前記基地局により下りリンクに設定されるＭＩＭＯレイヤ数と、に基づいて、当該ユーザ装置内に確保すべきソフトバッファのサイズを決定する決定部と、前記決定部で決定されたサイズのソフトバッファに、前記基地局から受信したデータを格納する受信部と、を有し、前記ＵＥカテゴリは、サポートすべき最大のＭＩＭＯレイヤ数として２レイヤ、４レイヤ及び８レイヤを含み、かつ、サポートすべき前記変調方式として６４ＱＡＭ及び２５６ＱＡＭを含むＵＥカテゴリである、ユーザ装置が提供される。このユーザ装置ＵＥにより、新たなＵＥカテゴリが追加される場合に、ユーザ装置が適切に通信を行うことを可能にする技術が提供される。
【００７７】
前記決定部は、当該ユーザ装置のＵＥカテゴリがＵＥカテゴリ１９である場合、ＵＥカテゴリ１９に対応する前記合計ソフトバッファサイズに基づいてソフトバッファメモリのサイズを決定し、当該ユーザ装置のＵＥカテゴリがＵＥカテゴリ１８である場合、ＵＥカテゴリ１８に対応する前記合計ソフトバッファサイズに基づいてソフトバッファのサイズを決定するようにしてもよい。これにより、ユーザ装置ＵＥは、新たなＵＥカテゴリの各々に対応する合計ソフトバッファサイズに基づき、ソフトバッファサイズを決定することが可能になる。
【００７８】
また、前記決定部は、当該ユーザ装置のＵＥカテゴリがＵＥカテゴリ１９又はＵＥカテゴリ１８である場合、ＵＥカテゴリ１８に対応する前記合計ソフトバッファサイズに基づいてソフトバッファのサイズを算出するようにしてもよい。これにより、ユーザ装置ＵＥは、ＵＥカテゴリが１８である場合と１９である場合とでソフトバッファのサイズを算出する際の計算方法を共通化することができる。
【００７９】
また、実施の形態によれば、基地局とユーザ装置とを有する無線通信システムにおける基地局であって、前記ユーザ装置のＵＥカテゴリと、下りリンクに設定される変調方式と、下りリンクに設定される最大レイヤ数と、に基づいて決定される前記ユーザ装置のソフトバッファメモリのサイズに基づくレートマッチング処理を行う処理部と、レートマッチング後の情報ビットを前記ユーザ装置に送信する送信部と、を有し、前記ＵＥカテゴリは、サポートすべき最大のＭＩＭＯレイヤ数として２レイヤ、４レイヤ及び８レイヤを含み、かつ、サポートすべき前記変調方式として６４ＱＡＭ及び２５６ＱＡＭを含むＵＥカテゴリである、基地局が提供される。この基地局ｅＮＢにより、新たなＵＥカテゴリが追加される場合に、ユーザ装置が適切に通信を行うことを可能にする技術が提供される。
【００８０】
また、実施の形態によれば、基地局とユーザ装置とを有する無線通信システムにおけるユーザ装置が実行する無線通信方法であって、当該ユーザ装置のＵＥカテゴリに対応する合計ソフトバッファサイズと、前記基地局により下りリンクに設定される変調方式と、前記基地局により下りリンクに設定されるＭＩＭＯレイヤ数と、に基づいて、当該ユーザ装置内に確保すべきソフトバッファのサイズを決定するステップと、決定されたサイズのソフトバッファに、前記基地局から受信したデータを格納するステップと、を有し、前記ＵＥカテゴリは、サポートすべき最大のＭＩＭＯレイヤ数として２レイヤ、４レイヤ及び８レイヤを含み、かつ、サポートすべき前記変調方式として６４ＱＡＭ及び２５６ＱＡＭを含むＵＥカテゴリである、無線通信方法が提供される。この無線通信方法により、新たなＵＥカテゴリが追加される場合に、ユーザ装置が適切に通信を行うことを可能にする技術が提供される。
【００８１】
また、実施の形態によれば、基地局とユーザ装置とを有する無線通信システムにおける基地局が実行する無線通信方法であって、前記ユーザ装置のＵＥカテゴリと、下りリンクに設定される変調方式と、下りリンクに設定される最大レイヤ数と、に基づいて決定される前記ユーザ装置のソフトバッファメモリのサイズに基づくレートマッチング処理を行うステップと、レートマッチング後の情報ビットを前記ユーザ装置に送信するステップと、を有し、前記ＵＥカテゴリは、サポートすべき最大のＭＩＭＯレイヤ数として２レイヤ、４レイヤ及び８レイヤを含み、かつ、サポートすべき前記変調方式として６４ＱＡＭ及び２５６ＱＡＭを含むＵＥカテゴリである、無線通信方法が提供される。この無線通信方法により、新たなＵＥカテゴリが追加される場合に、ユーザ装置が適切に通信を行うことを可能にする技術が提供される。
【００８２】
＜実施形態の補足＞
本明細書で説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【００８３】
基地局は、１つまたは複数（例えば、３つ）の（セクタとも呼ばれる）セルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局ＲＲＨ：Ｒｅｍｏｔｅ  Ｒａｄｉｏ  Ｈｅａｄ）によって通信サービスを提供することもできる。「セル」または「セクタ」という用語は、このカバレッジにおいて通信サービスを行う基地局、および／または基地局サブシステムのカバレッジエリアの一部または全体を指す。さらに、「基地局」「ｅＮＢ」、「セル」、および「セクタ」という用語は、本明細書では互換的に使用され得る。基地局は、固定局（fixed station）、ＮｏｄｅＢ、ｅＮｏｄｅＢ（ｅＮＢ）、アクセスポイント（access point）、フェムトセル、スモールセルなどの用語で呼ばれる場合もある。
【００８４】
ユーザ装置ＵＥは、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【００８５】
入出力された情報等は特定の場所(例えば、メモリ)に保存されてもよいし、管理テーブルで管理してもよい。入出力される情報等は、上書き、更新、または追記され得る。出力された情報等は削除されてもよい。入力された情報等は他の装置へ送信されてもよい。
【００８６】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００８７】
なお、本明細書で説明した用語及び／又は本明細書の理解に必要な用語については、同一の又は類似する意味を有する用語と置き換えてもよい。例えば、コンポーネントキャリア（ＣＣ）は、キャリア周波数、セルなどと呼ばれてもよい。
【００８８】
また、本明細書で説明した情報、パラメータなどは、絶対値で表されてもよいし、所定の値からの相対値で表されてもよいし、対応する別の情報で表されてもよい。例えば、無線リソースはインデックスで指示されるものであってもよい。
【００８９】
上述したパラメータに使用する名称はいかなる点においても限定的なものではない。さらに、これらのパラメータを使用する数式等は、本明細書で明示的に開示したものと異なる場合もある。様々なチャネル（例えば、ＰＵＣＣＨ、ＰＤＣＣＨなど）及び情報要素（例えば、ＴＰＣなど）は、あらゆる好適な名称によって識別できるので、これらの様々なチャネル及び情報要素に割り当てている様々な名称は、いかなる点においても限定的なものではない。
【００９０】
本明細書で使用する「判断(determining)」、「決定(determining)」という用語は、多種多様な動作を包含する場合がある。「判断」、「決定」は、例えば、判定(judging)、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【００９１】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００９２】
「含む(ｉｎｃｌｕｄｉｎｇ)」、「含んでいる（ｃｏｍｐｒｉｓｉｎｇ）」、およびそれらの変形が、本明細書あるいは特許請求の範囲で使用されている限り、これら用語は、用語「備える」と同様に、包括的であることが意図される。さらに、本明細書あるいは特許請求の範囲において使用されている用語「または（or）」は、排他的論理和ではないことが意図される。
【００９３】
本開示の全体において、例えば、英語でのa, an, 及びtheのように、翻訳により冠詞が追加された場合、これらの冠詞は、文脈から明らかにそうではないことが示されていなければ、複数のものを含むものとする。
【００９４】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【００９５】
ＵＥ  ユーザ装置
ｅＮＢ  基地局
１０１  信号送信部
１０２  信号受信部
１０３  ＵＥ能力取得部
１０４  レートマッチング処理部
２０１  信号送信部
２０２  信号受信部
２０３  ＵＥ能力通知部
２０４  バッファサイズ決定部
１００１  プロセッサ
１００２  メモリ
１００３  ストレージ
１００４  通信装置
１００５  入力装置
１００６  出力装置
【図１】
2018019372.tif 000005
【図２】
2018019372.tif 000006
【図３】
2018019372.tif 000007
【図４】
2018019372.tif 000008
【図５】
2018019372.tif 000009
【図６】
2018019372.tif 000010
【図７】
2018019372.tif 000011
【図８】
2018019372.tif 000012
【図９】
2018019372.tif 000013
【図１０】
2018019372.tif 000014
【図１１】
2018019372.tif 000015
【図１２】
2018019372.tif 000016
【手続補正書】
【提出日】平成29年11月8日(2017.11.8)
【手続補正１】
【補正対象書類名】特許請求の範囲
【補正対象項目名】全文
【補正方法】変更
【補正の内容】
【特許請求の範囲】
【請求項１】
基地局とユーザ装置とを有する無線通信システムにおけるユーザ装置であって、
当該ユーザ装置のＵＥカテゴリに対応する合計ソフトバッファサイズと、前記基地局により下りリンクに設定される変調方式と、前記基地局により下りリンクに設定されるＭＩＭＯレイヤ数と、に基づいて、当該ユーザ装置内に確保すべきソフトバッファのサイズを決定する決定部と、
前記決定部で決定されたサイズのソフトバッファに、前記基地局から受信したデータを格納する受信部と、を有し、
前記ＵＥカテゴリは、サポートすべき最大のＭＩＭＯレイヤ数として２レイヤ、４レイヤ及び８レイヤを含み、かつ、サポートすべき前記変調方式として６４ＱＡＭ及び２５６ＱＡＭを含むＵＥカテゴリであり、
前記決定部は、当該ユーザ装置のＵＥカテゴリがＵＥカテゴリ１９又はＵＥカテゴリ１８である場合、ＵＥカテゴリ１８に対応する前記合計ソフトバッファサイズに基づいてソフトバッファのサイズを算出する、
ユーザ装置。
【請求項２】
前記決定部は、当該ユーザ装置のＵＥカテゴリがＵＥカテゴリ１９である場合、ＵＥカテゴリ１９に対応する前記合計ソフトバッファサイズに基づいてソフトバッファメモリのサイズを決定し、当該ユーザ装置のＵＥカテゴリがＵＥカテゴリ１８である場合、ＵＥカテゴリ１８に対応する前記合計ソフトバッファサイズに基づいてソフトバッファのサイズを決定する、
請求項１に記載のユーザ装置。
【請求項３】
基地局とユーザ装置とを有する無線通信システムにおける基地局であって、
前記ユーザ装置のＵＥカテゴリと、下りリンクに設定される変調方式と、下りリンクに設定される最大レイヤ数と、に基づいて決定される前記ユーザ装置のソフトバッファのサイズに基づくレートマッチング処理を行う処理部と、
レートマッチング後の情報ビットを前記ユーザ装置に送信する送信部と、を有し、
前記ＵＥカテゴリは、サポートすべき最大のＭＩＭＯレイヤ数として２レイヤ、４レイヤ及び８レイヤを含み、かつ、サポートすべき前記変調方式として６４ＱＡＭ及び２５６ＱＡＭを含むＵＥカテゴリであり、
前記処理部は、前記ユーザ装置のＵＥカテゴリがＵＥカテゴリ１９又はＵＥカテゴリ１８である場合、ＵＥカテゴリ１８に対応する前記ユーザ装置のソフトバッファのサイズに基づいてソフトバッファのサイズを算出する、
基地局。
【請求項４】
基地局とユーザ装置とを有する無線通信システムにおけるユーザ装置が実行する無線通信方法であって、
当該ユーザ装置のＵＥカテゴリに対応する合計ソフトバッファサイズと、前記基地局により下りリンクに設定される変調方式と、前記基地局により下りリンクに設定されるＭＩＭＯレイヤ数と、に基づいて、当該ユーザ装置内に確保すべきソフトバッファのサイズを決定するステップと、
決定されたサイズのソフトバッファに、前記基地局から受信したデータを格納するステップと、を有し、
前記ＵＥカテゴリは、サポートすべき最大のＭＩＭＯレイヤ数として２レイヤ、４レイヤ及び８レイヤを含み、かつ、サポートすべき前記変調方式として６４ＱＡＭ及び２５６ＱＡＭを含むＵＥカテゴリであり、
前記決定するステップは、当該ユーザ装置のＵＥカテゴリがＵＥカテゴリ１９又はＵＥカテゴリ１８である場合、ＵＥカテゴリ１８に対応する前記合計ソフトバッファサイズに基づいてソフトバッファのサイズを算出するステップを含む、
無線通信方法。
【請求項５】
基地局とユーザ装置とを有する無線通信システムにおける基地局が実行する無線通信方法であって、
前記ユーザ装置のＵＥカテゴリと、下りリンクに設定される変調方式と、下りリンクに設定される最大レイヤ数と、に基づいて決定される前記ユーザ装置のソフトバッファのサイズに基づくレートマッチング処理を行うステップと、
レートマッチング後の情報ビットを前記ユーザ装置に送信するステップと、を有し、
前記ＵＥカテゴリは、サポートすべき最大のＭＩＭＯレイヤ数として２レイヤ、４レイヤ及び８レイヤを含み、かつ、サポートすべき前記変調方式として６４ＱＡＭ及び２５６ＱＡＭを含むＵＥカテゴリであり、
前記レートマッチング処理を行うステップは、前記ユーザ装置のＵＥカテゴリがＵＥカテゴリ１９又はＵＥカテゴリ１８である場合、ＵＥカテゴリ１８に対応する前記ユーザ装置のソフトバッファのサイズに基づいてソフトバッファのサイズを算出するステップを含む、
無線通信方法。
【手続補正２】
【補正対象書類名】明細書
【補正対象項目名】０００９
【補正方法】変更
【補正の内容】
【０００９】
開示の技術のユーザ装置は、基地局とユーザ装置とを有する無線通信システムにおけるユーザ装置であって、当該ユーザ装置のＵＥカテゴリに対応する合計ソフトバッファサイズと、前記基地局により下りリンクに設定される変調方式と、前記基地局により下りリンクに設定されるＭＩＭＯレイヤ数と、に基づいて、当該ユーザ装置内に確保すべきソフトバッファのサイズを決定する決定部と、前記決定部で決定されたサイズのソフトバッファに、前記基地局から受信したデータを格納する受信部と、を有し、前記ＵＥカテゴリは、サポートすべき最大のＭＩＭＯレイヤ数として２レイヤ、４レイヤ及び８レイヤを含み、かつ、サポートすべき前記変調方式として６４ＱＡＭ及び２５６ＱＡＭを含むＵＥカテゴリであり、前記決定部は、当該ユーザ装置のＵＥカテゴリがＵＥカテゴリ１９又はＵＥカテゴリ１８である場合、ＵＥカテゴリ１８に対応する前記合計ソフトバッファサイズに基づいてソフトバッファのサイズを算出する。